(57)【要約】  当日の実測値に即した精度の高い予測値を算出することの可能なエネルギー予測システム、エネルギー予測方法、これを実行させるためのコンピュータプログラム及びこのプログラムを記録した記録媒体並びに運転支援システムを提供すること。  クラスター分析を行う比較時間及び比較日数を設定すると共に比較対象を分類された負荷パターンから選択する分析条件設定部４０と、当日時系列データと過去時系列データとを選択された負荷パターンに分類された実測値により設定する時系列データ設定部５０と、類似度が高い過去時系列データを複数選定し、選定した過去時系列データの所定時刻から所定の予測時間先の時刻における実測値を類似度に応じて重み付け加算して予測当日の所定時刻から予測時間先の予測時刻におけるエネルギー負荷の予測値を算出する予測値算出部６０とを備える。
2016136323.tif 000002
【特許請求の範囲】
【請求項１】
電力、冷房、暖房、蒸気、給湯等のエネルギーを使用又は製造するエネルギー設備における現時点以降のエネルギー負荷を予測するエネルギー予測システムであって、
前記現時点までの前記エネルギー負荷の実測値を計測時間毎に記憶する実測値記憶部と、
前記実測値を日毎に前記エネルギー負荷の特性に基づく負荷パターンに分類する負荷パターン分類部と、
クラスター分析を行う比較時間及び比較日数を設定すると共に前記クラスター分析を行う比較対象を分類された負荷パターンから選択する分析条件設定部と、
予測当日の所定時刻から設定された比較時間前までの当日時系列データと、前記当日時系列データと同一時間帯における過去の設定された比較日数の日毎の過去時系列データとを選択された負荷パターンに分類された実測値により設定する時系列データ設定部と、
前記クラスター分析により前記過去時系列データ毎に前記当日時系列データに対する類似度を計算して類似度が高い過去時系列データを複数選定し、選定した過去時系列データの前記所定時刻から所定の予測時間先の時刻における実測値を前記類似度に応じて重み付け加算して前記予測当日の前記所定時刻から前記予測時間先の予測時刻における前記エネルギー負荷の予測値を算出する予測値算出部とを備えたエネルギー予測システム。
【請求項２】
前記予測値は、前記選定した過去時系列データの前記所定時刻の実測値と前記予測時刻の実測値との差分の加重平均が前記予測当日の前記所定時刻の実測値に加算されて算出される請求項１記載のエネルギー予測システム。
【請求項３】
前記予測値算出部は、前記類似度が高い順に過去時系列データを複数選択する請求項１又は２記載のエネルギー予測システム。
【請求項４】
前記負荷パターンは、全日、休日、平日、特異日、生産計画及び気象情報を少なくとも含む群から選択される少なくとも１種以上の組合せである請求項１〜３のいずれかに記載のエネルギー予測システム。
【請求項５】
前記予測値算出部は、前記選定した過去時系列データの前記所定時刻から所定の第二予測時間先の時刻における実測値を前記類似度に応じて重み付け加算して前記予測当日の前記所定時刻から前記第二予測時間先の次回第二予測時刻における前記エネルギー負荷の予測値を当該時刻の仮実測値として設定する仮実測値設定部を有し、前記時系列データ設定部は、前記予測当日の前記次回第二予測時刻から前記比較時間前までの新たな当日時系列データと、前記新たな当日時系列データと同一時間帯における過去の前記設定された比較日数の日毎の過去時系列データとを前記選択された負荷パターンに分類された実測値及び前記仮実測値により更新する時系列データ更新部を有し、前記仮実測値設定部が前記第二予測時間毎に前記仮実測値を設定すると共に、前記時系列データ更新部が前記第二予測時間毎に時系列データを更新し、前記予測値算出部が前記クラスター分析を前記第二予測時間毎に繰り返し行うことで前記予測当日の前記所定時刻から長期予測時間先までのエネルギー負荷の予測を行う請求項１〜４のいずれかに記載のエネルギー予測システム。
【請求項６】
前記仮実測値は、前記予測当日の前記次回第二予測時刻における実測値が記憶される度にその実測値に置換される請求項５記載のエネルギー予測システム。
【請求項７】
前記負荷パターン分類部は、少なくとも連続する２日以上の日数単位で設定された長期負荷パターンをさらに有する請求項５又は６記載のエネルギー予測システム。
【請求項８】
前記エネルギー設備は、複数の発電機器及び／又は熱電機器を有する施設を複数備えた複合施設又は地域であり、前記予測算出部は、前記施設単位で前記予測値を算出すると共にその予測値を合算して前記複合施設又は地域全体の前記エネルギー負荷の予測値を算出する請求項１〜７のいずれかに記載のエネルギー予測システム。
【請求項９】
前記クラスター分析は、群間平均距離法である請求項１〜８のいずれかに記載のエネルギー予測システム。
【請求項１０】
前記類似度は、前記過去時系列データの前記当日時系列データに対する距離の逆数である請求項９記載のエネルギー予測システム。
【請求項１１】
前記類似度は、前記過去時系列データと前記当日時系列データとのベクトル間角度の余弦である請求項９記載のエネルギー予測システム。
【請求項１２】
電力、冷房、暖房、蒸気、給湯等のエネルギーを使用又は製造するエネルギー設備における現時点以降のエネルギー負荷を予測するエネルギー予測方法であって、
前記現時点までの前記エネルギー負荷の実測値を計測時間毎に記憶し、
前記実測値を日毎に前記エネルギー負荷の特性に基づく負荷パターンに分類し、
クラスター分析を行う比較時間及び比較日数を設定すると共に前記クラスター分析を行う比較対象を分類された負荷パターンから選択し、
予測当日の所定時刻から設定された比較時間前までの当日時系列データと、前記当日時系列データと同一時間帯における過去の設定された比較日数の日毎の過去時系列データとを選択された負荷パターンに分類された実測値により設定し、
前記クラスター分析により前記過去時系列データ毎に前記当日時系列データに対する類似度を計算して類似度が高い過去時系列データを複数選定し、選定した過去時系列データの前記所定時刻から所定の予測時間先の時刻における実測値を前記類似度に応じて重み付け加算して前記予測当日の前記所定時刻から前記予測時間先の予測時刻における前記エネルギー負荷の予測値を算出するエネルギー予測方法。
【請求項１３】
請求項１〜１１のいずれかに記載のエネルギー予測システムを実行させるためのコンピュータプログラム。
【請求項１４】
請求項１３記載のコンピュータプログラムを記録した記録媒体。
【請求項１５】
電力、冷房、暖房、蒸気、給湯等のエネルギーを使用又は製造するエネルギー設備の運転を支援する運転支援システムであって、
前記現時点までの前記エネルギー負荷の実測値を計測時間毎に記憶する実測値記憶部と、
前記実測値を日毎に前記エネルギー負荷の特性に基づく負荷パターンに分類する負荷パターン分類部と、
クラスター分析を行う比較時間及び比較日数を設定すると共に前記クラスター分析を行う比較対象を分類された負荷パターンから選択する分析条件設定部と、
予測当日の所定時刻から設定された比較時間前までの当日時系列データと、前記当日時系列データと同一時間帯における過去の設定された比較日数の日毎の過去時系列データとを選択された負荷パターンに分類された実測値により設定する時系列データ設定部と、
前記クラスター分析により前記過去時系列データ毎に前記当日時系列データに対する類似度を計算して類似度が高い過去時系列データを複数選定し、選定した過去時系列データの前記所定時刻から所定の予測時間先の時刻における実測値を前記類似度に応じて重み付け加算して前記予測当日の前記所定時刻から前記予測時間先の予測時刻における前記エネルギー負荷の予測値を算出する予測値算出部とを備え、
前記予測値に基づいて前記エネルギー設備の運転を支援する運転支援システム。
【発明の詳細な説明】
【技術分野】
【０００１】
本発明は、エネルギー予測システム、エネルギー予測方法、これを実行させるためのコンピュータプログラム及びこのプログラムを記録した記録媒体並びに運転支援システムに関する。さらに詳しくは、電力、冷房、暖房、蒸気、給湯等のエネルギーを使用又は製造するエネルギー設備における現時点以降のエネルギー負荷を予測するエネルギー予測システム、エネルギー予測方法、これを実行させるためのコンピュータプログラム及びこのプログラムを記録した記録媒体並びに運転支援システムに関する。
【背景技術】
【０００２】
予測日の熱や電力等の各種エネルギー負荷は、その日の気象状況、施設や建物等の利用状況（人間の数やイベントの有無等）、設置設備の稼働状況等の各種要因が複雑に絡み合って影響を受ける。重回帰式やカルマンフィルター等を用いて負荷を予測する従来の手法では、各種説明変数を設定することで、理論的には予測値の精度向上を図ることができる。しかし、あらゆる状況を網羅（考慮）する説明変数を設定することは現実的に困難であり、予測精度の向上にも限界があった。【０００３】
他のエネルギー負荷の予測方法として、例えば特許文献１，２に記載の如きものも知られている。特許文献１の手法では、ＡＲＭＡモデル式を用いて算出した予測負荷を外部環境予測情報（翌日の予想最高外気温）に基づき修正している。しかしながら、外気温以外の他の要因が考慮されておらず、さらなる予測精度の向上が望まれていた。【０００４】
また、特許文献２の手法では、過去の気象実績データと予測対象日の気象予測データとの類似度を計算し、過去の気象実績データに対応する電力需要データから電力需要量を予測している。しかし、気象データに依存しているため、突発的な気象変動の影響を受ける場合があり、さらなる予測精度の向上が望まれていた。
【先行技術文献】
【特許文献】
【０００５】
【特許文献１】特開平５−１８５６５号公報
【特許文献２】特開２０１３−６６３１８号公報
【発明の概要】
【発明が解決しようとする課題】
【０００６】
かかる従来の実情に鑑みて、本発明は、当日の実測値に即した精度の高い予測値を算出することの可能なエネルギー予測システム、エネルギー予測方法、これを実行させるためのコンピュータプログラム及びこのプログラムを記録した記録媒体並びに運転支援システムを提供することを目的とする。
【課題を解決するための手段】
【０００７】
上記目的を達成するため、本発明に係るエネルギー予測システムの特徴は、電力、冷房、暖房、蒸気、給湯等のエネルギーを使用又は製造するエネルギー設備における現時点以降のエネルギー負荷を予測する構成において、前記現時点までの前記エネルギー負荷の実測値を計測時間毎に記憶する実測値記憶部と、前記実測値を日毎に前記エネルギー負荷の特性に基づく負荷パターンに分類する負荷パターン分類部と、クラスター分析を行う比較時間及び比較日数を設定すると共に前記クラスター分析を行う比較対象を分類された負荷パターンから選択する分析条件設定部と、予測当日の所定時刻から設定された比較時間前までの当日時系列データと、前記当日時系列データと同一時間帯における過去の設定された比較日数の日毎の過去時系列データとを選択された負荷パターンに分類された実測値により設定する時系列データ設定部と、前記クラスター分析により前記過去時系列データ毎に前記当日時系列データに対する類似度を計算して類似度が高い過去時系列データを複数選定し、選定した過去時系列データの前記所定時刻から所定の予測時間先の時刻における実測値を前記類似度に応じて重み付け加算して前記予測当日の前記所定時刻から前記予測時間先の予測時刻における前記エネルギー負荷の予測値を算出する予測値算出部とを備えたことにある。
なお、本発明で用いるクラスター分析とは、エネルギー負荷の時系列データから、予測当日の所定の時刻から比較時間前までの抽出したデータを１つのクラスターとして、日の異なるクラスター間の類似度を評価する手法である。【０００８】
上記特徴によれば、クラスター分析の対象となる時系列データは、現時点までのエネルギー負荷の実測値により設定される。実測値は測定時の環境・状況の影響を受けたものであるので、実測値により設定される時系列データは、あらゆる条件（要素）が反映したものとなり、複雑な設定を行うことなく、現実に即した予測が可能となる。しかも、この実測値には選択されたエネルギー負荷の特性に基づく負荷パターンに分類されたものを用いるので、設定される時系列データは共通又は類似する環境下での測定結果に基づくものであり、互いに類似することとなる。よって、クラスター分析の精度はさらに向上する。そして、算出した類似度に応じて重み付け加算して予測値を算出するので、さらに精度が向上することとなる。【０００９】
前記予測値は、前記選定した過去時系列データの前記所定時刻の実測値と前記予測時刻の実測値との差分の加重平均が前記予測当日の前記所定時刻の実測値に加算されて算出されるとよい。予測当日の所定時刻の実測値と予測時刻の実測値との差分の加重平均を予測当日の所定時刻の実測値に加算するので、より現実に即した高精度の予測値となる。【００１０】
前記予測値算出部は、前記類似度が高い順に過去時系列データを複数選択するとよい。類似度が高い順に過去時系列データを選択するので、より精度が向上する。【００１１】
前記負荷パターンは、全日、休日、平日、特異日、生産計画及び気象情報を少なくとも含む群から選択される少なくとも１種以上の組合せであるとよい。これにより、現実の状況に即した予測ができ、より現実に即した高精度の予測値となる。【００１２】
前記予測値算出部は、前記選定した過去時系列データの前記所定時刻から所定の第二予測時間先の時刻における実測値を前記類似度に応じて重み付け加算して前記予測当日の前記所定時刻から前記第二予測時間先の次回第二予測時刻における前記エネルギー負荷の予測値を当該時刻の仮実測値として設定する仮実測値設定部を有し、前記時系列データ設定部は、前記予測当日の前記次回第二予測時刻から前記比較時間前までの新たな当日時系列データと、前記新たな当日時系列データと同一時間帯における過去の前記設定された比較日数の日毎の過去時系列データとを前記選択された負荷パターンに分類された実測値及び前記仮実測値により更新する時系列データ更新部を有し、前記仮実測値設定部が前記第二予測時間毎に前記仮実測値を設定すると共に、前記時系列データ更新部が前記第二予測時間毎に時系列データを更新し、前記予測値算出部が前記クラスター分析を前記第二予測時間毎に繰り返し行うことで前記予測当日の前記所定時刻から長期予測時間先までのエネルギー負荷の予測を行うとよい。第二予測時間毎に算出した予測値を当該時刻の仮実測値として設定すると共に時系列データを更新するので、クラスター分析を第二予測時間毎に繰り返し行うことで設定した長期予測時間先までのエネルギー負荷の予測を行うことが可能となる。例えば、予測当日の２４時間先や４８時間先など任意の時間経過後までのエネルギー負荷の予測も可能となる。【００１３】
係る場合、前記仮実測値は、前記予測当日の前記次回第二予測時刻における実測値が記憶される度にその実測値に置換されることが望ましい。これにより、仮実測値が常に最新の実測値に置換されることとなるので、予測精度が向上する。【００１４】
また、前記負荷パターン分類部は、少なくとも連続する２日以上の日数単位で設定された長期負荷パターンをさらに有するとよい。これにより、長期間を通じて生じる変化をも考慮でき、さらに現実に即した予測となり、さらに予測精度を向上させることができる。【００１５】
前記エネルギー設備は、複数の発電機器及び／又は熱電機器を有する施設を複数備えた複合施設又は地域であり、前記予測算出部は、前記施設単位で前記予測値を算出すると共にその予測値を合算して前記複合施設又は地域全体の前記エネルギー負荷の予測値を算出するようにしてもよい。これにより、複数の発電機器及び／又は熱電機器を有する単一の施設におけるエネルギー負荷の予測だけではなく、そのような施設が複数集合した複合施設、集合住宅、地域の全体のエネルギー負荷の予測も可能となり、省エネにも寄与する。【００１６】
前記クラスター分析は、例えば群間平均距離法であるとよい。係る場合、前記類似度は、前記過去時系列データの前記当日時系列データに対する距離の逆数であるとよい。また、前記類似度は、前記過去時系列データと前記当日時系列データとのベクトル間角度の余弦であってもよい。【００１７】
上記目的を達成するため、本発明に係るエネルギー予測方法の特徴は、電力、冷房、暖房、蒸気、給湯等のエネルギーを使用又は製造するエネルギー設備における現時点以降のエネルギー負荷を予測するエネルギー予測方法において、前記現時点までの前記エネルギー負荷の実測値を計測時間毎に記憶し、前記実測値を日毎に前記エネルギー負荷の特性に基づく負荷パターンに分類し、クラスター分析を行う比較時間及び比較日数を設定すると共に前記クラスター分析を行う比較対象を分類された負荷パターンから選択し、予測当日の所定時刻から設定された比較時間前までの当日時系列データと、前記当日時系列データと同一時間帯における過去の設定された比較日数の日毎の過去時系列データとを選択された負荷パターンに分類された実測値により設定し、前記クラスター分析により前記過去時系列データ毎に前記当日時系列データに対する類似度を計算して類似度が高い過去時系列データを複数選定し、選定した過去時系列データの前記所定時刻から所定の予測時間先の時刻における実測値を前記類似度に応じて重み付け加算して前記予測当日の前記所定時刻から前記予測時間先の予測時刻における前記エネルギー負荷の予測値を算出することにある。【００１８】
上記のいずれかに記載のエネルギー予測システムは、それを実行させるためのコンピュータプログラムにより実現され、このコンピュータプログラムは記録媒体に記録される。【００１９】
上記目的を達成するため、本発明に係る運転支援システムの特徴は、電力、冷房、暖房、蒸気、給湯等のエネルギーを使用又は製造するエネルギー設備の運転を支援する構成において、前記現時点までの前記エネルギー負荷の実測値を計測時間毎に記憶する実測値記憶部と、前記実測値を日毎に前記エネルギー負荷の特性に基づく負荷パターンに分類する負荷パターン分類部と、クラスター分析を行う比較時間及び比較日数を設定すると共に前記クラスター分析を行う比較対象を分類された負荷パターンから選択する分析条件設定部と、予測当日の所定時刻から設定された比較時間前までの当日時系列データと、前記当日時系列データと同一時間帯における過去の設定された比較日数の日毎の過去時系列データとを選択された負荷パターンに分類された実測値により設定する時系列データ設定部と、前記クラスター分析により前記過去時系列データ毎に前記当日時系列データに対する類似度を計算して類似度が高い過去時系列データを複数選定し、選定した過去時系列データの前記所定時刻から所定の予測時間先の時刻における実測値を前記類似度に応じて重み付け加算して前記予測当日の前記所定時刻から前記予測時間先の予測時刻における前記エネルギー負荷の予測値を算出する予測値算出部とを備え、前記予測値に基づいて前記エネルギー設備の運転を支援することにある。
【発明の効果】
【００２０】
上記本発明に係るエネルギー予測システム、エネルギー予測方法、これを実行させるためのコンピュータプログラム及びこのプログラムを記録した記録媒体並びに運転支援システムの特徴によれば、当日の実測値に即した精度の高い予測値を算出することが可能となった。【００２１】
本発明の他の目的、構成及び効果については、以下の発明の実施の形態の項から明らかになるであろう。
【図面の簡単な説明】
【００２２】
【図１】本発明に係るエネルギー予測システムのハードウエアの構成を示す図である。
【図２】本発明に係るエネルギー予測システムのソフトウエアの構成を示す図である。
【図３】群間平均距離法における距離の定義を説明する模式図であり、（ａ）は当日時系列データ、（ｂ）はｍ日前の過去時系列データ、（ｃ）は当日時系列データとｍ日前の過去時系列データとの距離ｄｍを模式的に示す。
【図４ａ】短時間予測手順を示すフロー図である。
【図４ｂ】長期間予測手順を示すフロー図である。
【図５】長期間予測と実測値（experience）との比較の一例を示す図であり、（ａ）は５時３０分時点、（ｂ）は７時時点、（ｃ）は１３時時点、（ｄ）は１６時時点、（ｅ）は長期間予測の予測線図の変化の一例を示す。
【図６】エネルギー設備の運転支援を説明するグラフであり、（ａ）は前日の電力需要予測、（ｂ）は前日の電力需給バランス予測、（ｃ）は当日の短時間予測による電力発電量の調整の例を示す。
【図７】距離に代わって類似度を表すベクトル間角度を模式的に示す図であり、（ａ）は当日時系列データ、（ｂ）は（ａ）と類似形状の過去時系列データ、（ｃ）は（ａ）と（ｂ）の時系列データ間のベクトル間角度を模式的に示す。
【図８】距離に代わって類似度を表すベクトル間角度の他の例を示す図７相当図である。
【発明を実施するための形態】
【００２３】
次に、適宜添付図面を参照しながら、本発明をさらに詳しく説明する。
本発明に係るエネルギー予測システム１は、電力、冷房、暖房、蒸気、給湯等のエネルギーを使用又は製造するエネルギー設備における現時点以降のエネルギー負荷を予測する。エネルギー設備としては、例えばコージェネレーション、太陽光発電等の発電系機器、高圧ボイラ等のボイラ系機器、吸収冷凍機等の冷水系機器、温水ボイラ等の温水系機器、給湯ボイラ等の給湯系機器等の各種発電機器や熱電機器、これら機器を含むビル、工場、各種店舗や施設、これらを複数備える複合施設や地域である。また、エネルギー負荷としては、例えば電力、冷水、温水、蒸気等の各需要量（消費量、使用量）や製造量（供給量）が挙げられる。
【００２４】
本発明に係るエネルギー予測システム１のハードウエアは、図１に示すように、大略、ユーザーインターフェイス２と、エネルギー予測システム１のソフトウエア１０を処理する処理部３とから構成される。ユーザーインターフェイス２は、モニタ２ａ、キーボード２ｂ、マウス２ｃを備え、モニタ２ａに表示される画面上のボタンや入力欄をユーザーが操作するためのものである。また、処理部３は、ＣＰＵ３ａ、一時記憶メモリ３ｂ、ＨＤＤ３ｃ等とデータバス、アドレスバス等のバス３ｄにより接続されている。ＣＰＵ３ａ、一時記憶メモリ３ｂ、ＨＤＤ３ｃ等は連携して、ソフトウエア１０を稼働させる。
【００２５】
図２に示すように、エネルギー予測システム１のソフトウエア１０は、大略、実測値記憶部２０、負荷パターン分類部３０、分析条件設定部４０、時系列データ設定部５０、予測値算出部６０、出力部７０及び記録部８０から構成される。
【００２６】
実測値記憶部２０は、現時点までのエネルギー負荷の実測値を計測時間毎に記憶する。実測値記憶部２０には、エネルギー予測システム１に接続されたエネルギー設備の各種センサから測定値が入力される。計測時間とは、エネルギー負荷を計測する周期であり、例えば３０秒、１０分、１時間等のように、秒（second）、分（minute）、時（hour）の単位を問わない。計測時間（周期）を短くすることで予測精度は向上するが、計算に要する時間（回数）は増大するので、要求される精度に応じて適宜設定すればよい。なお、実測値と共に後述の気象情報を取り込むことも可能である。
【００２７】
負荷パターン分類部３０は、実測値記憶部２０に記憶される実測値を日毎にエネルギー負荷の特性に基づく負荷パターンに分類する。負荷パターンとは、全日、休日、平日、特異日、生産計画及び気象情報を少なくとも含む群から選択される少なくとも１種以上の組合せである。特異日とは、例えば商業施設等におけるイベントの開催や特売日等の通常の営業日と異なる状態（環境）となる日を示す。生産計画とは、工場等での稼働する機械の台数や生産する製品等の生産スケジュール等を示す。気象情報とは、例えば所定の時間毎の気温、１日の平均気温、最高気温、最低気温、平均相対湿度、最高湿度、天気、気圧、風速、降水量等の気象庁が公表している各種気象データや季節等である。このように、エネルギー負荷のパターンに影響を与える特性で分類しておくことで、比較する時系列データ相互間での特異な相違を減らし、類似する環境下の時系列データで後述の類似度計算を行うことができ、予測精度を向上させることができる。
【００２８】
分析条件設定部４０は、クラスター分析を行う比較時間を設定する比較時間設定部４１と、クラスター分析を行う比較日数を設定する比較日数設定部４２と、クラスター分析を行う比較対象を負荷パターン分類部３０によって分類された負荷パターンから選択する負荷パターン選択部４３を有する。比較時間は、クラスター分析の対象とする時系列データの時間帯（開始時刻から終了時刻までの期間）を指し、上記と同様に時間の単位を問わずに適宜設定することができる。また、比較日数は、当日時系列データと比較（類似度計算）する後述の過去時系列データの個数を指し、好ましくは、２以上の複数である。比較日数を多くすることで予測精度は向上するが、計算時間（回数）は増大するので、要求される精度に応じて適宜設定すればよい。本実施形態では、後述するクラスター分析による類似度が高い過去時系列データを選定する日数（個数）を設定する上位選定日数設定部４４を有する。
【００２９】
また、分析条件設定部４０は、当日時系列データに対する過去時系列データの類似度を計算する計算時間及び予測時間も合わせて設定する。これらの時間も上記と同様に時間の単位を問わずに適宜設定することができる。計算時間とは、類似度を計算する周期であり、例えば上述の計測時間と一致させる。予測時間とは、予測当日の所定時刻から予測したい所定の時刻（予測時刻）までの所定時間である。さらに、本実施形態では、分析条件設定部４０は、第二予測時間も設定する。この第二予測時間は、後述する長期間予測における予測当日の所定時刻から予測したい所定の時刻（次回第二予測時刻）までの所定時間である。予測時間と第二予測時間は任意に設定でき、同一であってもよく、例えば上述の計測時間に一致させることもできる。
【００３０】
時系列データ設定部５０は、予測当日の所定時刻から比較時間設定部４１によって設定された比較時間前までの当日時系列データと、当日時系列データと同一時間帯における比較日数設定部４２によって設定された比較日数の過去の日毎の過去時系列データとを負荷パターン選択部４３によって選択された負荷パターンに分類された実測値により設定する。
【００３１】
ここで、予測当日のｔ時点（所定時刻）からＮ時点前までの当日時系列データは、下記数１で表される。なお、Ｎは、比較時間を計測時間で除した数である。
【００３２】
【数１】
2016136323.tif 000003
【００３３】
また、当日時系列データと同一時間帯における予測当日よりｍ日前の過去時系列データは、下記数２で表される。
【００３４】
【数２】
2016136323.tif 000004
【００３５】
また、時系列データ設定部５０は、予測当日の所定時刻の第二予測時間先となる次回第二予測時刻から比較時間設定部４１によって設定された比較時間前までの新たな当日時系列データと、当該新たな当日時系列データと同一時間帯における過去の比較日数設定部４２によって設定された比較日数の日毎の過去時系列データとを負荷パターン選択部４３によって選択された負荷パターンに分類された実測値及び後述の仮実測値により更新する時系列データ更新部５１を有する。
【００３６】
予測値算出部６０は、類似度を計算する類似度計算部６１と、類似度が高い過去時系列データを選定する過去時系列データ選定部６２と、類似度に応じた重み係数を算出する重み係数算出部６３を備える。類似度計算部６１は、クラスター分析により時系列データ設定部５０で作成された過去時系列データ毎に当日時系列データに対する類似度を計算する。過去時系列データ選定部６２は、設定された選定条件に従い過去時系列データを複数選定する。例えば、本実施形態では、設定した過去時系列データの中から類似度が高い順に上位選定日数設定部４４で設定された日数（個数）分の過去時系列データを選定する。重み係数算出部６３は、過去時系列データ選定部６２が選定した過去時系列データの類似度に応じた重み係数を算出する。そして、予測値算出部６０は、過去時系列データ選定部６２が選定した過去時系列データの所定時刻から所定の予測時間先の時刻における実測値を重み係数算出部６３が算出した重み係数により重み付け加算して予測当日の所定時刻から所定の予測時間先の予測時刻におけるエネルギー負荷の予測値として算出する（短時間予測）。
【００３７】
ここで、本実施形態において、クラスター分析には群間平均距離法を用いる。この群間平均距離法は、当日時系列データ（クラスター）と過去時系列データ（クラスター）とのすべての個体のペア（計算時間毎の実測値）について距離を求めてその平均を類似度として算出する。類似度（距離の逆数）が大きい程、当日時系列データと過去時系列データとは類似することとなる。
群間平均距離法では、当日時系列データとｍ（ｍ≦Ｍ）日前の時系列データと距離を下記数３で定義する。なお、Ｍは、比較日数である。
【００３８】
【数３】
2016136323.tif 000005
【００３９】
図３（ａ）に示す当日時系列データ（第１のクラスター）Ｐと、同図（ｂ）に示す予測当日よりｍ日前の過去時系列データ（第２のクラスター）Ｑは、同図（ｃ）に示す如く、ｔとｔ−１とｔ−２で形成される空間に配置される点ｐ，ｑとして捉えることができる。群間平均距離法では、この点ｐ，ｑ間の距離ｄｍを算出し、距離ｄｍが短い（小さい）ものが類似度が高い。類似度計算部６１はこの距離ｄｍを過去時系列データ毎に計算し、過去時系列データ選定部６２は距離ｄｍの逆数が大きい（類似度が高い）順に過去時系列データを複数選定する。
【００４０】
重み係数算出部６３は、過去時系列データ選定部６２が選定した過去時系列データの距離ｄｍの逆数（類似度）から重み係数ｗｍを算出する。重み係数ｗｍは、下記数４の通り、距離ｄｍの逆数（類似度）を上位選定日数設定部４４で設定された日数（個数、Ｓ）分の選定した過去時系列データの求めた距離ｄｍの逆数の和で除した数（相対重み）である。
【００４１】
【数４】
2016136323.tif 000006
【００４２】
そして、ｔ時点（所定時刻）から所定時間（予測時間ｌ）先の予測時刻ｔ＋ｌの予測値ｘｔ＋ｌは、下記数５により算出される。本実施形態では、上位選定日数設定部４４で設定された日数（個数、Ｓ）分の選定した過去時系列データにおけるｔ＋ｌ時点とｔ時点との差分の加重平均を予測当日のｔ時点の実測値ｘｔに加算して予測値ｘｔ＋１とする。
【００４３】
【数５】
2016136323.tif 000007
【００４４】
さらに、予測値算出部６０は、選定した過去時系列データの所定時刻から所定の第二予測時間先の時刻における実測値を類似度に応じて重み付け加算して予測当日の所定時刻から第二予測時間先の次回第二予測時刻におけるエネルギー負荷の予測値を当該時刻の仮実測値として設定する仮実測値設定部６４を有する。上述の短時間予測と同様の処理を実測値の第二予測時間毎に繰り返し行うことで、長期予測時間経過後（例えば２４時間先や４８時間先の予測（長期間予測））が可能となる。そして、仮実測値は、予測当日の次回第二予測時刻における実測値が記憶される度にその実測値に置換される。
【００４５】
出力部７０は、例えば予測値算出部６０が求めた予測値や予測グラフをモニタや紙等に出力する。例えば、実測値とその後の予測値とを区別させてグラフに表示する。また、長期間予測のグラフの色を変えて表示すると共に、予測値と実測値との平均２乗誤差平方根の割合（ＥＥＰ）を表示する。また、これらを帳票として表形式で出力することも可能である。記録部８０は、求めた予測値や出力した帳票等の各種データを記録する。
【００４６】
次に、図４ａを参照しながら予測当日のエネルギー負荷の短時間予測の手順について説明する。
短時間予測手順は、図４ａに示すように、クラスター分析による当日予測の条件を設定し（Ｓ１）、設定された条件に基づいてクラスター分析による過去時系列データの類似度を計算し（Ｓ２）、類似度の高い順番に過去時系列データを複数選定し（Ｓ３）、重み係数を算出してその重み係数を用いて所定時間先の予測値を算出し（Ｓ４）、その結果を出力する（Ｓ５）。なお、実測値は、実測値記憶部２０により計測時間毎に記憶されると共に、負荷パターン分類部３０によりエネルギー負荷の特性に基づく負荷パターンに分類される。
【００４７】
条件設定ステップ（Ｓ１）では、比較時間設定部４１により比較時間が設定され、比較日数設定部４２により比較日数が設定される。また、分析条件設定部４０により、計算時間及び予測時間も設定される。例えば、現時点（所定時刻）は５時３０分、比較時間は４時間、比較日数は３０日、計算時間は１０分、予測時間は３０分として設定される。また、上位選定日数設定部４４により上位選定日数も設定され、例えば上位６位（個）である。
【００４８】
さらに、負荷パターン選択部４３により負荷パターン分類部３０によって分類された負荷パターンが選択される。この負荷パターンの選択は、予測当日の負荷パターンと同一のものが選択される。これにより、予測当日に類似する環境下における過去の実測値をクラスター分析の対象とすることができ、より精度が向上する。そして、分析条件設定部４０の設定条件に従い、時系列データ設定部５０は、実測値により当日時系列データと、当日時系列データと同一時間帯における過去時系列データを日毎に複数設定する。例えば、平日の予測当日の当日時系列データと同じ負荷パターンとして平日のデータが選択され、直近の平日３０日分の同じ時間帯（所定時刻から比較時間前）で日毎に過去時系列データが作成される。
【００４９】
類似度計算ステップ（Ｓ２）では、類似度計算部６１により上述の群間平均距離法により設定された過去時系列データ毎に当日時系列データに対する距離（類似度）が計算される。そして、過去時系列データ選定ステップ（Ｓ３）では、過去時系列データ選定部６２により、求めた距離が短い（類似度が高い）上位６位を選定する。例えば、直近の平日３０分の過去時系列データ毎に予測当日の当日時系列データに対する距離が計算され、その距離ｄｍの短い（類似度１／ｄｍが大きい）上位６位が類似日として選定される。
【００５０】
次に、予測値算出ステップ（Ｓ４）では、重み係数算出部６３により選定した類似日の重み係数が算出され、予測値算出部６０により選定した過去時系列データにおける予測時間先の予測時刻と所定時刻との実測値の差分の加重平均を予測当日の所定時刻の実測値に加算して予測値を算出する。例えば、選定した類似日の過去時系列データでは、予測時間先の予測時刻と所定時刻（現時点）との実測値の差分にその日の重み係数ｗｍを乗じた値を求める。これを上位６位で各々計算してその合計を求め、その合計値を予測当日の所定時刻の実測値に加算して、予測時刻の予測値となる。
【００５１】
ここで、図４ｂに示す長期間予測は、上述の短時間予測と同時に又は単独に実行することが可能である。
同図に示すように、予測当日のエネルギー負荷の長期間予測としての終日（予測当日の２４時（ＰＭ１２時）まで）予測は、まず、クラスター分析による当日予測の条件を設定し（Ｓ１１）、次回第二予測時間における仮実測値を設定し（Ｓ１２）、設定された条件に基づいて時系列データを更新して（Ｓ１３）、クラスター分析により更新した過去時系列データの類似度を計算し（Ｓ１４）、類似度の高い順番に過去時系列データを複数選定し（Ｓ１５）、重み係数を算出してその重み係数を用いて計測時間先の予測値を算出する（Ｓ１６）。そして、設定した長期予測時間先となるまで（Ｓ１７）、上記ステップ（Ｓ１２〜Ｓ１６）が繰り返される。長期予測時間（予測当日の２４時（ＰＭ１２時）まで）の予測が完了すれば、その結果が出力される（Ｓ１８）。条件設定ステップ（Ｓ１１）は、先の条件設定ステップ（Ｓ１）と同様である。
【００５２】
仮実測値設定ステップ（Ｓ１２）では、仮実測値設定部６４により所定時刻から第二予測時間先における次回第二予測時刻の予測値を仮実測値として算出する。次回第二予測時刻の予測値の算出は、上記短時間予測ステップ（Ｓ２〜Ｓ４）と同様である。例えば、所定時刻（現時点）から１０分（第二予測時間、計算時間）先の次回第二予測時刻の予測値を仮実測値して算出する。この仮実測値の算出は、上述の短時間予測と同様の処理である。
【００５３】
次に、時系列データ更新ステップ（Ｓ１３）では、時系列データ更新部５１により先の当日時系列データ及び過去時系列データの時間帯が変更される。例えば、先のステップ（Ｓ１２）にて仮実測値を算出した次回第二予測時刻を新たな所定時刻と仮定して、その時刻から比較時間前までの時間帯における実測値及び仮実測値により時系列データを更新する。当日時系列データには、次回第二予測時刻の現実の実測値は存在しないので、上述の仮実測値を用いて当日時系列データとする。そして、上記短時間予測と同様に、第二予測時間（計算時間）先の新たな次回第二予測時刻の予測値を算出する。すなわち、短時間予測では所定の予測時間先（上記の例では３０分）の予測を行うが、長期間予測では第二予測時間（本例では１０分）毎に第二予測時間先の予測を長期予測時間経過後（本例では、予測当日の２４時（ＰＭ１２時））まで繰り返して行う。このように、時間の経過によるエネルギー負荷の推移（変動）の予測も可能である。
【００５４】
ここで、実測値記憶部２０には、第二予測時間が経過すれば、エネルギー負荷の実測値が記憶される。そこで、実測値が記憶される度に対応する仮実測値を現実の実測値に置換する。そして、上記処理を実行することで、第二予測時間経過毎に予測は修正（更新）されることとなり、より現実に即した高精度な予測となる。例えば、図５に示すように、時間経過と共に仮実測値を現実の実測値に置き換えてエネルギー負荷の予測線を修正していくので、精度の高い予測が可能となる。
【００５５】
さらに、上述の如く算出した予測当日のエネルギー負荷予測（短時間予測及び／又は長期間予測）を用いて、エネルギー設備の運転を支援することも可能である。
例えば図６（ａ）に示すように、例えば店舗、工場、銀行、オフィスよりなる複合施設の前日の２４時間の電力負荷を施設ごとにその需要量Ａ１〜４を予測して複合施設全体の翌日の電力需要Ａを予測する。この前日予測には、例えば、従来周知のカルマンフィルターを用いた予測方法を適用できる。
【００５６】
そして、図６（ｂ）に示すように、この電力需要予測Ａに対する電力需給バランスを予測する。再生可能エネルギーの発電量Ｅｂ５について、例えば翌日の天気予報による外気温度及び日照時間予測により太陽光発電量を例えば３０分ごとに予測する。再生可能エネルギーは、太陽光発電に限られず風力発電でも良い。このように、上記の再生可能エネルギーによる発電量Ｅｂ５を含めて、電力需要予測値Ａに基づいて電力供給を予定している発電所の発電供給能力と発電単価を考慮して発電計画が決定される。同図の例では、第一、第二発電所の発電量Ｅｂ１，２及び第一、第二調整電力量Ｅｂ３，４が決定される。
【００５７】
当日の各施設の電力使用量は、上述した前日の予測電力量Ａと相違が出ると共に太陽光発電量Ｅ５も異なる。そこで、例えば図６（ｃ）に示すように、エネルギー予測システム１が各施設の電力実測値Ｅ１〜５を用いてクラスター分析法により所定時間先（例えば１２時の３０分先）の予測値を算出する。そして、その短時間予測による予測値に基づいて、例えばその予測時刻における調整電力２の発電量を制御することができる。さらに、同図に示すように、予測当日の２４時までの電力負荷予測（長期間予測）を行っているので、１時間、２時間先の電力負荷予測値Ｅｆ１〜５をも予測することができるので、調整電力２で調整できないような場合には、調整電力１も含めて発電量を調整する準備を行うことが可能である。さらに、必要に応じて電力市場からの電力調達に事前に対応することが可能である。このように、エネルギー予測システム１で算出される予測値に基づいてエネルギー設備の運転を制御（支援）することができる。同図において、符号Ｅ１，２は第一、第二発電所の電力実測値、符号Ｅ３，４は第一、第二調整電力実測値を示す。また、符号Ｅｆ１，２は第一、第二発電所の予測発電値、符号Ｅｆ３，４は第一、第二調整電力予測値、符号Ｅ５は太陽光発電予測値を示す。複数の発電機器及び／又は熱電機器を有する単一の施設におけるエネルギー負荷の予測だけではなく、そのような施設が複数集合した複合施設、集合住宅、地域の全体のエネルギー負荷の予測も可能である。
【００５８】
最後に、本発明の他の実施形態の可能性について言及する。なお、上述の実施形態と同様の部材には同一の符号を附してある。
【００５９】
上記実施形態における長期間予測として、長期予測時間を短時間予測の当日の２４時（ＰＭ１２時）とした終日予測を例に説明した。しかし、長期予測時間は、予測当日の２４時までの予測に限られるものではなく、例えば、２４時間、４８時間（連続する２日間）やその他任意の期間（時間）を設定することができる。しかし、設定する長期予測時間によっては、予測当日だけでなくその翌日にまで予測が及ぶ場合がある。そこで、係る場合、負荷パターン分類部３０は、少なくとも連続する２日以上の日数単位で設定された長期負荷パターンをさらに有しているとよい。ここで、少なくとも連続する２日以上の日数単位とは、平日２日間、全平日（月曜日から金曜日）、週末（金曜日及び土曜日や土曜日及び日曜日、金曜日から日曜日）、休み明け（日祝日及びその翌日の平日）、一週間等の数日間、１ヶ月間、長期休暇、イベント開催期間、季節などが挙げられる。このように、任意の長期予測時間が属する期間毎にエネルギー負荷のパターンに影響を与える特性（長期負荷パターン）で分類しておくことで、期間を通じて生じる共通の変化をも考慮して類似する期間での時系列データで後述の類似度計算を行うことができ、予測精度を向上させることができる。
【００６０】
特に、長期負荷パターンが例えば曜日の組み合わせより構成される場合、気象条件を用いることなく翌日の予測が可能となる。すなわち、地理的に離れた場所にある建物や施設のエネルギー予測も可能となり、離れた地点であっても図６に示す如き合算（集計）して予測することができる。また、上記実施形態では、前日予測にカルマンフィルターを用いた予測手法を適用したが、カルマンフィルターに代えて前日予測から当日予測まで（例えば４８時間）を連続して予測することも可能となる。もちろん、さらに精度を向上させるために、曜日の組み合わせに気象条件も加味して長期負荷パターンを設定することも可能である。なお、翌日に跨いで予測する長期間予測においても、短時間予測と同様にその予測当日毎にそれぞれの負荷パターンを適用して予測しても構わない。
【００６１】
上記実施形態において、群間平均距離法を用いて過去時系列データの当日時系列データに対する距離を類似度として求めたが、これに代えてベクトル間角度の余弦を用いることも可能である。
【００６２】
図７（ａ）に示す当日時系列データＰ１と同図（ｂ）に示す過去時系列データＱ１の例は、比率が異なるだけで同じ形状を呈する。そのため、同図（ｃ）に示す如く、時系列データのベクトルｐ１，ｑ１間の角度は０となる。他方、図８（ａ）に示す当日時系列データＰ２と同図（ｂ）に示す過去時系列データＱ２の例では、同図（ｃ）に示す如く、時系列データのベクトルｐ１，ｑ１間の角度はθとなり、このベクトル間角度を用いる。
【００６３】
ここで、上記時系列データを各時間での大きさを座標値とするＮ＋１次元空間のベクトルで表すと、当日時系列データとｍ日前の過去時系列データの２つのベクトル角θの余弦は、以下となる。
【００６４】
【数６】
2016136323.tif 000008
【００６５】
本実施形態では、このcosθｍを類似の指標として、上記実施形態の距離の逆数に相当する。例えば、このcosθｍを大きい順に上位Ｓ個を抽出し、下記数７の重み係数を用いるとよい。図８に示すように、時系列データの大きさが相違していても類似を判定することができる。
【００６６】
【数７】
2016136323.tif 000009
【００６７】
なお、短時間予測において、下記数８の比率を適用することで、過去時系列データの大きさを当日時系列データの大きさの程度に合わせることができる。
【００６８】
【数８】
2016136323.tif 000010
【００６９】
ベクトル間角度による類似の判定では、時系列データの形状が全く同じ場合、１となり実際の値は極めて小さくても最も類似している可能性もあり、予測値にずれが生じる恐れがある。そこで、下記数９の補正により予測値のずれを抑制する。
【００７０】
【数９】
2016136323.tif 000011
【００７１】
また、クラスター分析は群間平均距離法に限られるものではなく、例えば重心間距離法（二つのクラスターの重心間の距離）、最近距離法（異なるクラスターに属する二つの個体間の距離の最小値）、最遠距離法（異なるクラスターに属する二つの個体間の距離の最大値）等の手法を採用することも可能である。
【００７２】
上記実施形態において、抽出した比較日数の各過去時系列データについて距離ｄｍを算出し、その距離が短い過去時系列データを上位から順に６位まで選定した。しかし、選定する個数はあくまで例示に過ぎず、適宜設定できる。また、上位から順に選定する場合に限らず、例えば下記数１０の関係を満たすものを選定するようにしてもよい。なお、Ｒは任意に設定でき、例えばＲ＝１．６２である。
【００７３】
【数１０】
2016136323.tif 000012
【００７４】
さらに、上記実施形態における短時間予測において、予測値を選定した過去時系列データの所定時刻の実測値と予測時刻の実測値との差分の加重平均を予測当日の所定時刻の実測値に加算して算出した。しかし、これに限らず、下記数１１の通り、過去時系列データの予測時刻の実測値の加重平均でも構わない。
【００７５】
【数１１】
2016136323.tif 000013
【００７６】
上記実施形態において、比較日数を３０日としたがあくまで例示に過ぎず、適宜設定することができる。また、特定の日数を設定するのではなく、予測当日と負荷パターンが共通する過去時系列データの全て或いは特定の期間を対象とすることもできる。よって、実測値の蓄積が増えるほど、予測値の精度を向上する。また、負荷パターンの選択においては、例えば天気予報(平均気温、最高気温、最低気温、平均相対湿度、最大湿度、時間毎の気温)の各種データを用いてカルマンフィルター等の各種周知の手法により負荷パターンをさらに分類し、その分類結果に基づいてクラスター分析の対象とする過去時系列データ（類似日）を設定するようにしてもよい。
【００７７】
また、上記実施形態において、計測時間（計測時刻）は現実にエネルギー負荷を測定する時間（時刻）に限られるものではなく、実測値も計測時間（計測時刻）に現実に測定される数値に限られるものではない。例えば、実際の計測時間（例えば６０分）を複数に分割し、その分割された時間（例えば１０分）での実測値を例えば直線補間等により求め、これらの値を実測値とすることも可能である。
【００７８】
本発明に係るエネルギー予測システムを実行するプログラムは、例えば、地域冷暖房及びビル熱源の運転支援システムとしてパソコンにソフトを組み込み、実負荷データを取り込むと共に実データを蓄えて運転員の支援システムとして構成することができる。また、電力及び集中方式の熱源設備のＢＥＭＳ、ＦＥＭＳの制御装置、制御盤に組み込んで最適運転制御に使用でき、家庭用の電力見える化（ＨＥＭＳ）等のパネルに組込んで使用することもできる。
【産業上の利用可能性】
【００７９】
本発明は、エネルギー予測システムとして利用することができる。また、エネルギー予測システムにより算出される予測値を用いてエネルギー設備の運転を支援する運転支援システムとして利用することができる。例えば、発電設備及び熱源設備の翌日の電力、冷熱、温熱、蒸気、給湯の負荷予測をして発電設備、熱電設備の最適運転パターンを想定することができる。また、ビル、工場等の稼働当初の実測データから所定時間先の負荷を予測し、更にその時点のデータからその日の長期予測時間先までの熱負荷予測カーブから最適運転管理に利用することもできる。さらに、電力負荷も同様に所定時間先の電力負荷を予測し、更にその時点の電力データからその日の長期予測時間先までの電力負荷カーブをデマンドコントロールに利用し、必要に応じて生産設備の運転計画に利用でき、発電設備を持つ場合は発電設備の最適運転管理にも利用することができる。さらに、ビル、工場に限らず家庭においても、任意時間毎の電力使用量のデータから長期間予測の結果に基づいてデマンドコントロールを行うことができる。また、本発明によりある地域で電力を使用している全ての電力使用量の予測値を時間毎に集計し、スマートメータと組み合わせて地域の１日の電力使用予測ができ、デマンド管理と共にこの電力負荷予測値を利用して太陽光発電、風力発電を含め分散型発電機の台数制御及び負荷の調整ができる。
【符号の説明】
【００８０】
１：エネルギー予測システム、２：ユーザーインターフェイス、２ａ：モニタ、２ｂ：キーボード、２ｃ：マウス、３：処理部、３ａ：ＣＰＵ、３ｂ：一時記憶メモリ、３ｃ：ＨＤＤ、３ｄ：バス、１０：ソフトウエア、２０：実測値記憶部、３０：負荷パターン分類部、４０：分析条件設定部、４１：比較時間設定部、４２：比較日数設定部、４３：負荷パターン選択部、４４：上位選定日数設定部、５０：時系列データ設定部、５１：時系列データ更新部、６０：予測値算出部、６１：類似度計算部、６２：過去時系列データ選定部、６３：重み係数算出部、６４：仮実測値設定部、７０：出力部、８０：記録部、１００：エネルギー設備、Ｐ：当日時系列データ、Ｑ：過去時系列データ
【図１】
2016136323.tif 000014
【図２】
2016136323.tif 000015
【図３】
2016136323.tif 000016
【図４ａ】
2016136323.tif 000017
【図４ｂ】
2016136323.tif 000018
【図５】
2016136323.tif 000019
【図６】
2016136323.tif 000020
【図７】
2016136323.tif 000021
【図８】
2016136323.tif 000022
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
電力、冷房、暖房、蒸気、給湯等のエネルギーを使用又は製造するエネルギー設備における現時点以降のエネルギー負荷を予測するエネルギー予測システムであって、
前記現時点までの前記エネルギー負荷の実測値を計測時間毎に記憶する実測値記憶部と、
前記実測値を日毎に前記エネルギー負荷の特性に基づく負荷パターンに分類する負荷パターン分類部と、
クラスター分析を行う比較時間及び比較日数を設定すると共に前記クラスター分析を行う比較対象を分類された負荷パターンから選択する分析条件設定部と、
予測当日の所定時刻から設定された比較時間前までの当日時系列データと、前記当日時系列データと同一時間帯における設定された比較日数の日毎の過去時系列データとを選択された負荷パターンに分類された実測値により設定する時系列データ設定部と、
前記予測当日の前記所定時刻から所定の予測時間先の予測時刻における前記エネルギー負荷の予測値を算出する予測値算出部とを備え、
前記分析条件設定部は、前記クラスター分析による類似度が高い過去時系列データを前記時系列データ設定部で設定された過去時系列データから選定する日数を設定する上位選定日数設定部を有し、
前記予測値算出部は、設定された過去時系列データ毎に前記クラスター分析により前記当日時系列データに対する類似度を計算する類似度計算部と、設定された日数分の過去時系列データを計算された類似度が高い順に前記設定された過去時系列データから複数選定する過去時系列データ選定部と、選定された過去時系列データ毎に前記計算された類似度を前記選定された過去時系列データの類似度の和で除して重み係数を算出する重み係数算出部を有し、
前記選定された過去時系列データ毎に過去時系列データにおける前記所定時刻の実測値と前記予測時刻の実測値との差分に算出された重み係数を乗じた値を求め、求めた値の合計を前記予測当日の前記所定時刻の実測値に加算して前記予測値とするエネルギー予測システム。
【請求項２】
前記負荷パターンは、全日、休日、平日、特異日、生産計画及び気象情報を少なくとも含む群から選択される少なくとも１種以上の組合せである請求項１記載のエネルギー予測システム。
【請求項３】
前記予測値算出部は、前記選定した過去時系列データの前記所定時刻から所定の第二予測時間先の時刻における実測値を前記類似度に応じて重み付け加算して前記予測当日の前記所定時刻から前記第二予測時間先の次回第二予測時刻における前記エネルギー負荷の予測値を当該時刻の仮実測値として設定する仮実測値設定部を有し、前記時系列データ設定部は、前記予測当日の前記次回第二予測時刻から前記比較時間前までの新たな当日時系列データと、前記新たな当日時系列データと同一時間帯における前記設定された比較日数の日毎の過去時系列データとを前記選択された負荷パターンに分類された実測値及び前記仮実測値により更新する時系列データ更新部を有し、前記仮実測値設定部が前記第二予測時間毎に前記仮実測値を設定すると共に、前記時系列データ更新部が前記第二予測時間毎に時系列データを更新し、前記予測値算出部が前記クラスター分析を前記第二予測時間毎に繰り返し行うことで前記予測当日の前記所定時刻から長期予測時間先までのエネルギー負荷の予測を行う請求項１又は２記載のエネルギー予測システム。
【請求項４】
前記仮実測値は、前記予測当日の前記次回第二予測時刻における実測値が記憶される度にその実測値に置換される請求項３記載のエネルギー予測システム。
【請求項５】
前記負荷パターン分類部は、少なくとも連続する２日以上の日数単位で設定された長期負荷パターンをさらに有する請求項３又は４記載のエネルギー予測システム。
【請求項６】
前記エネルギー設備は、複数の発電機器及び／又は熱電機器を有する施設を複数備えた複合施設又は地域であり、前記予測算出部は、前記施設単位で前記予測値を算出すると共にその予測値を合算して前記複合施設又は地域全体の前記エネルギー負荷の予測値を算出する請求項１〜５のいずれかに記載のエネルギー予測システム。
【請求項７】
前記クラスター分析は、群間平均距離法である請求項１〜６のいずれかに記載のエネルギー予測システム。
【請求項８】
前記類似度は、前記過去時系列データの前記当日時系列データに対する距離の逆数である請求項７記載のエネルギー予測システム。
【請求項９】
前記類似度は、前記過去時系列データと前記当日時系列データとのベクトル間角度の余弦である請求項７記載のエネルギー予測システム。
【請求項１０】
電力、冷房、暖房、蒸気、給湯等のエネルギーを使用又は製造するエネルギー設備における現時点以降のエネルギー負荷を予測するエネルギー予測方法であって、
前記現時点までの前記エネルギー負荷の実測値を計測時間毎に記憶し、
前記実測値を日毎に前記エネルギー負荷の特性に基づく負荷パターンに分類し、
クラスター分析を行う比較時間及び比較日数を設定すると共に前記クラスター分析を行う比較対象を分類された負荷パターンから選択し、
予測当日の所定時刻から設定された比較時間前までの当日時系列データと、前記当日時系列データと同一時間帯における設定された比較日数の日毎の過去時系列データとを選択された負荷パターンに分類された実測値により設定し、
前記クラスター分析による類似度が高い過去時系列データを設定された過去時系列データから選定する日数を設定し、
前記設定された過去時系列データ毎に前記クラスター分析により前記当日時系列データに対する類似度を計算し、
設定された日数分の過去時系列データを計算された類似度が高い順に前記設定された過去時系列データから過去時系列データを複数選定し、
選定された過去時系列データ毎に前記計算された類似度を前記選定された過去時系列データの類似度の和で除して重み係数を算出し、
前記選定された過去時系列データ毎に過去時系列データにおける前記所定時刻の実測値と前記予測時刻の実測値との差分に算出された重み係数を乗じた値を求め、求めた値の合計を前記予測当日の前記所定時刻の実測値に加算して前記予測当日の前記所定時刻から前記予測時間先の予測時刻における前記エネルギー負荷の予測値を算出するエネルギー予測方法。
【請求項１１】
請求項１〜９のいずれかに記載のエネルギー予測システムを実行させるためのコンピュータプログラム。
【請求項１２】
請求項１１記載のコンピュータプログラムを記録した記録媒体。
【請求項１３】
電力、冷房、暖房、蒸気、給湯等のエネルギーを使用又は製造するエネルギー設備の運転を支援する運転支援システムであって、
前記現時点までの前記エネルギー負荷の実測値を計測時間毎に記憶する実測値記憶部と、
前記実測値を日毎に前記エネルギー負荷の特性に基づく負荷パターンに分類する負荷パターン分類部と、
クラスター分析を行う比較時間及び比較日数を設定すると共に前記クラスター分析を行う比較対象を分類された負荷パターンから選択する分析条件設定部と、
予測当日の所定時刻から設定された比較時間前までの当日時系列データと、前記当日時系列データと同一時間帯における設定された比較日数の日毎の過去時系列データとを選択された負荷パターンに分類された実測値により設定する時系列データ設定部と、
前記予測当日の前記所定時刻から所定の予測時間先の予測時刻における前記エネルギー負荷の予測値を算出する予測値算出部とを備え、
前記分析条件設定部は、前記クラスター分析による類似度が高い過去時系列データを前記時系列データ設定部で設定された過去時系列データから選定する日数を設定する上位選定日数設定部を有し、
前記予測値算出部は、設定された過去時系列データ毎に前記クラスター分析により前記当日時系列データに対する類似度を計算する類似度計算部と、設定された日数分の過去時系列データを計算された類似度が高い順に前記設定された過去時系列データから複数選定する過去時系列データ選定部と、選定された過去時系列データ毎に前記計算された類似度を前記選定された過去時系列データの類似度の和で除して重み係数を算出する重み係数算出部を有し、
前記選定された過去時系列データ毎に過去時系列データにおける前記所定時刻の実測値と前記予測時刻の実測値との差分に算出された重み係数を乗じた値を求め、求めた値の合計を前記予測当日の前記所定時刻の実測値に加算して前記予測値とし、
前記予測値に基づいて前記エネルギー設備の運転を支援する運転支援システム。
【手続補正２】
【補正対象書類名】明細書
【補正対象項目名】０００２
【補正方法】変更
【補正の内容】
【０００２】
予測データとの類似度を計算し、過去の気象実績データに対応する電力需要データから電力需要量を予測している。しかし、気象データに依存しているため、突発的な気象変動の影響を受ける場合があり、さらなる予測精度の向上が望まれていた。
先行技術文献
特許文献
［０００５］
特許文献１：特開平５−１８５６５号公報
特許文献２：特開２０１３−６６３１８号公報
発明の概要
発明が解決しようとする課題
［０００６］
かかる従来の実情に鑑みて、本発明は、当日の実測値に即した精度の高い予測値を算出することの可能なエネルギー予測システム、エネルギー予測方法、これを実行させるためのコンピュータプログラム及びこのプログラムを記録した記録媒体並びに運転支援システムを提供することを目的とする。
課題を解決するための手段
［０００７］
上記目的を達成するため、本発明に係るエネルギー予測システムの特徴は、電力、冷房、暖房、蒸気、給湯等のエネルギーを使用又は製造するエネルギー設備における現時点以降のエネルギー負荷を予測する構成において、前記現時点までの前記エネルギー負荷の実測値を計測時間毎に記憶する実測値記憶部と、前記実測値を日毎に前記エネルギー負荷の特性に基づく負荷パターンに分類する負荷パターン分類部と、クラスター分析を行う比較時間及び比較日数を設定すると共に前記クラスター分析を行う比較対象を分類された負荷パターンから選択する分析条件設定部と、予測当日の所定時刻から設定された比較時間前までの当日時系列データと、前記当日時系列データと同一時間帯における設定された比較日数の日毎の過去時系列データとを選択された負荷パターンに分類された実測値により設定する時系列データ設定部と、
【手続補正３】
【補正対象書類名】明細書
【補正対象項目名】０００３
【補正方法】変更
【補正の内容】
【０００３】
前記予測当日の前記所定時刻から所定の予測時間先の予測時刻における前記エネルギー負荷の予測値を算出する予測値算出部とを備え、前記分析条件設定部は、前記クラスター分析による類似度が高い過去時系列データを前記時系列データ設定部で設定された過去時系列データから選定する日数を設定する上位選定日数設定部を有し、前記予測値算出部は、設定された過去時系列データ毎に前記クラスター分析により前記当日時系列データに対する類似度を計算する類似度計算部と、設定された日数分の過去時系列データを計算された類似度が高い順に前記設定された過去時系列データから複数選定する過去時系列データ選定部と、選定された過去時系列データ毎に前記計算された類似度を前記選定された過去時系列データの類似度の和で除して重み係数を算出する重み係数算出部を有し、前記選定された過去時系列データ毎に過去時系列データにおける前記所定時刻の実測値と前記予測時刻の実測値との差分に算出された重み係数を乗じた値を求め、求めた値の合計を前記予測当日の前記所定時刻の実測値に加算して前記予測値とすることにある。
なお、本発明で用いるクラスター分析とは、エネルギー負荷の時系列データから、予測当日の所定の時刻から比較時間前までの抽出したデータを１つのクラスターとして、日の異なるクラスター間の類似度を評価する手法である。
［０００８］
上記特徴によれば、クラスター分析の対象となる時系列データは、現時点までのエネルギー負荷の実測値により設定される。実測値は測定時の環境・状況の影響を受けたものであるので、実測値により設定される時系列データは、あらゆる条件（要素）が反映したものとなり、複雑な設定を行うことなく、現実に即した予測が可能となる。しかも、この実測値には選択されたエネルギー負荷の特性に基づく負荷パターンに分類されたものを用いるので、設定される時系列データは共通又は類似する環境下での測定結果に基づくものであり、互いに類似することとなる。よって、クラスター分析の精度はさらに向上する。さらに、分析条件設定部は、クラスター分析による類似度が高い過去時系列データを時系列データ設定部で設定された過去時系列データから選定する日数を設定する上位選定日数設定部を有するので、より精度が向上する。そして、選定された過去時系列データ毎に過去時系列データにおける所定時刻の実測値と予測時刻の実測値との差分に算出された重み係数を乗じた値を求め、求めた値の合計を予測当日の所定時刻の実測値に加算して予測値とするため現実に即した高精度の予測値となる。
［０００９］
［００１０］
［００１１］
前記負荷パターンは、全日、休日、平日、特異日、生産計画及び気象情報
【手続補正４】
【補正対象書類名】明細書
【補正対象項目名】０００４
【補正方法】変更
【補正の内容】
【０００４】
を少なくとも含む群から選択される少なくとも１種以上の組合せであるとよい。これにより、現実の状況に即した予測ができ、より現実に即した高精度の予測値となる。
［００１２］
前記予測値算出部は、前記選定した過去時系列データの前記所定時刻から所定の第二予測時間先の時刻における実測値を前記類似度に応じて重み付け加算して前記予測当日の前記所定時刻から前記第二予測時間先の次回第二予測時刻における前記エネルギー負荷の予測値を当該時刻の仮実測値として設定する仮実測値設定部を有し、前記時系列データ設定部は、前記予測当日の前記次回第二予測時刻から前記比較時間前までの新たな当日時系列データと、前記新たな当日時系列データと同一時間帯における前記設定された比較日数の日毎の過去時系列データとを前記選択された負荷パターンに分類された実測値及び前記仮実測値により更新する時系列データ更新部を有し、前記仮実測値設定部が前記第二予測時間毎に前記仮実測値を設定すると共に、前記時系列データ更新部が前記第二予測時間毎に時系列データを更新し、前記予測値算出部が前記クラスター分析を前記第二予測時間毎に繰り返し行うことで前記予測当日の前記所定時刻から長期予測時間先までのエネルギー負荷の予測を行うとよい。第二予測時間毎に算出した予測値を当該時刻の仮実測値として設定すると共に時系列データを更新するので、クラスター分析を第二予測時間毎に繰り返し行うことで設定した長期予測時間先までのエネルギー負荷の予測を行うことが可能となる。例えば、予測当日の２４時間先や４８時間先など任意の時間経過後までのエネルギー負荷の予測も可能となる。
［００１３］
係る場合、前記仮実測値は、前記予測当日の前記次回第二予測時刻における実測値が記憶される度にその実測値に置換されることが望ましい。これにより、仮実測値が常に最新の実測値に置換されることとなるので、予測精度が向上する。
［００１４］
また、前記負荷パターン分類部は、少なくとも連続する２日以上の日数単位で設定された長期負荷パターンをさらに有するとよい。これにより、長期
【手続補正５】
【補正対象書類名】明細書
【補正対象項目名】０００５
【補正方法】変更
【補正の内容】
【０００５】
間を通じて生じる変化をも考慮でき、さらに現実に即した予測となり、さらに予測精度を向上させることができる。
［００１５］
前記エネルギー設備は、複数の発電機器及び／又は熱電機器を有する施設を複数備えた複合施設又は地域であり、前記予測算出部は、前記施設単位で前記予測値を算出すると共にその予測値を合算して前記複合施設又は地域全体の前記エネルギー負荷の予測値を算出するようにしてもよい。これにより、複数の発電機器及び／又は熱電機器を有する単一の施設におけるエネルギー負荷の予測だけではなく、そのような施設が複数集合した複合施設、集合住宅、地域の全体のエネルギー負荷の予測も可能となり、省エネにも寄与する。
［００１６］
前記クラスター分析は、例えば群間平均距離法であるとよい。係る場合、前記類似度は、前記過去時系列データの前記当日時系列データに対する距離の逆数であるとよい。また、前記類似度は、前記過去時系列データと前記当日時系列データとのベクトル間角度の余弦であってもよい。
［００１７］
上記目的を達成するため、本発明に係るエネルギー予測方法の特徴は、電力、冷房、暖房、蒸気、給湯等のエネルギーを使用又は製造するエネルギー設備における現時点以降のエネルギー負荷を予測するエネルギー予測方法において、前記現時点までの前記エネルギー負荷の実測値を計測時間毎に記憶し、前記実測値を日毎に前記エネルギー負荷の特性に基づく負荷パターンに分類し、クラスター分析を行う比較時間及び比較日数を設定すると共に前記クラスター分析を行う比較対象を分類された負荷パターンから選択し、予測当日の所定時刻から設定された比較時間前までの当日時系列データと、前記当日時系列データと同一時間帯における設定された比較日数の日毎の過去時系列データとを選択された負荷パターンに分類された実測値により設定し、前記クラスター分析による類似度が高い過去時系列データを設定された過去時系列データから選定する日数を設定し、前記設定された過去時系列データ毎に前記クラスター分析により前記当日時系列データに対する類似度を計算し、設定された日数分の過去時系列データを計算された類似度が高い順に前記設定された過去時系列データから過去時系列データを複数選定し、選定された過去時系列データ毎に前記計算された類似度を前記選定された過去時系列データの類似度の和で除して重み係数を算出し、前記選定された過去時系列データ毎に過去時系列データにおける前記所定時刻の実測値と前記予測時刻の実測値との差分に算出された重み係数を乗じた値を求め、求めた値の合計を前記予測当日の前記所定時刻の実測値に加算して前記予測当日の前記
【手続補正６】
【補正対象書類名】明細書
【補正対象項目名】０００６
【補正方法】変更
【補正の内容】
【０００６】
所定時刻から前記予測時間先の予測時刻における前記エネルギー負荷の予測値を算出することにある。
［００１８］
上記のいずれかに記載のエネルギー予測システムは、それを実行させるためのコンピュータプログラムにより実現され、このコンピュータプログラムは記録媒体に記録される。
［００１９］
上記目的を達成するため、本発明に係る運転支援システムの特徴は、電力、冷房、暖房、蒸気、給湯等のエネルギーを使用又は製造するエネルギー設備の運転を支援する構成において、前記現時点までの前記エネルギー負荷の実測値を計測時間毎に記憶する実測値記憶部と、前記実測値を日毎に前記エネルギー負荷の特性に基づく負荷パターンに分類する負荷パターン分類部と、クラスター分析を行う比較時間及び比較日数を設定すると共に前記クラスター分析を行う比較対象を分類された負荷パターンから選択する分析条件設定部と、予測当日の所定時刻から設定された比較時間前までの当日時系列データと、前記当日時系列データと同一時間帯における設定された比較日数の日毎の過去時系列データとを選択された負荷パターンに分類された実測値により設定する時系列データ設定部と、前記予測当日の前記所定時刻から所定の予測時間先の予測時刻における前記エネルギー負荷の予測値を算出する予測値算出部とを備え、前記分析条件設定部は、前記クラスター分析による類似度が高い過去時系列データを前記時系列データ設定部で設定された過去時系列データから選定する日数を設定する上位選定日数設定部を有し、前記予測値算出部は、設定された過去時系列データ毎に前記クラスター分析により前記当日時系列データに対する類似度を計算する類似度計算部と、設定された日数分の過去時系列データを計算された類似度が高い順に前記設定された過去時系列データから複数選定する過去時系列データ選定部と、選定された過去時系列データ毎に前記計算された類似度を前記選定された過去時系列データの類似度の和で除して重み係数を算出する重み係数算出部を有し、前記選定された過去時系列データ毎に過去時系列データにおける前記所定時刻の実測値と前記予測時刻の実測値との差分に算出された重み係数を乗じた値を求め、求めた値の合計を前記予測当日の前記所定時刻の実測値に加算して前記予測値とし、前記予測値に基づいて前記エネルギー設備の運転を支援することにある。
発明の効果
［００２０］
上記本発明に係るエネルギー予測システム、エネルギー予測方法、これを実行させるためのコンピュータプログラム及びこのプログラムを記録した記録媒体並びに運転支援システムの特徴によれば、当日の実測値に即した精度の高い予測値を算出することが可能となった。
［００２１］
本発明の他の目的、構成及び効果については、以下の発明の実施の形態の
【手続補正書】
【提出日】平成28年12月28日(2016.12.28)
【手続補正１】
【補正対象書類名】特許請求の範囲
【補正対象項目名】請求項６
【補正方法】変更
【補正の内容】
【請求項６】
前記エネルギー設備は、複数の発電機器及び／又は熱電機器を有する施設を複数備えた複合施設又は地域であり、前記予測値算出部は、前記施設単位で前記予測値を算出すると共にその予測値を合算して前記複合施設又は地域全体の前記エネルギー負荷の予測値を算出する請求項１〜５のいずれかに記載のエネルギー予測システム。
【手続補正２】
【補正対象書類名】特許請求の範囲
【補正対象項目名】請求項１０
【補正方法】変更
【補正の内容】
【請求項１０】
電力、冷房、暖房、蒸気、給湯等のエネルギーを使用又は製造するエネルギー設備における現時点以降のエネルギー負荷を予測するエネルギー予測システムの動作方法であって、
前記現時点までの前記エネルギー負荷の実測値を計測時間毎に記憶し、
前記実測値を日毎に前記エネルギー負荷の特性に基づく負荷パターンに分類し、
クラスター分析を行う比較時間及び比較日数を設定すると共に前記クラスター分析を行う比較対象を分類された負荷パターンから選択し、
予測当日の所定時刻から設定された比較時間前までの当日時系列データと、前記当日時系列データと同一時間帯における設定された比較日数の日毎の過去時系列データとを選択された負荷パターンに分類された実測値により設定し、
前記クラスター分析による類似度が高い過去時系列データを設定された過去時系列データから選定する日数を設定し、
前記設定された過去時系列データ毎に前記クラスター分析により前記当日時系列データに対する類似度を計算し、
設定された日数分の過去時系列データを計算された類似度が高い順に前記設定された過去時系列データから過去時系列データを複数選定し、
選定された過去時系列データ毎に前記計算された類似度を前記選定された過去時系列データの類似度の和で除して重み係数を算出し、
前記選定された過去時系列データ毎に過去時系列データにおける前記所定時刻の実測値と前記予測時刻の実測値との差分に算出された重み係数を乗じた値を求め、求めた値の合計を前記予測当日の前記所定時刻の実測値に加算して前記予測当日の前記所定時刻から前記予測時間先の予測時刻における前記エネルギー負荷の予測値を算出するエネルギー予測システムの動作方法。
【手続補正３】
【補正対象書類名】特許請求の範囲
【補正対象項目名】請求項１２
【補正方法】変更
【補正の内容】
【請求項１２】
請求項１１記載のコンピュータプログラムを記録したコンピュータ読み取り可能な記録媒体。
【手続補正４】
【補正対象書類名】特許請求の範囲
【補正対象項目名】請求項１３
【補正方法】変更
【補正の内容】
【請求項１３】
電力、冷房、暖房、蒸気、給湯等のエネルギーを使用又は製造するエネルギー設備の運転を支援する運転支援システムであって、
前記エネルギー設備における現時点までのエネルギー負荷の実測値を計測時間毎に記憶する実測値記憶部と、
前記実測値を日毎に前記エネルギー負荷の特性に基づく負荷パターンに分類する負荷パターン分類部と、
クラスター分析を行う比較時間及び比較日数を設定すると共に前記クラスター分析を行う比較対象を分類された負荷パターンから選択する分析条件設定部と、
予測当日の所定時刻から設定された比較時間前までの当日時系列データと、前記当日時系列データと同一時間帯における設定された比較日数の日毎の過去時系列データとを選択された負荷パターンに分類された実測値により設定する時系列データ設定部と、
前記予測当日の前記所定時刻から所定の予測時間先の予測時刻における前記エネルギー負荷の予測値を算出する予測値算出部とを備え、
前記分析条件設定部は、前記クラスター分析による類似度が高い過去時系列データを前記時系列データ設定部で設定された過去時系列データから選定する日数を設定する上位選定日数設定部を有し、
前記予測値算出部は、設定された過去時系列データ毎に前記クラスター分析により前記当日時系列データに対する類似度を計算する類似度計算部と、設定された日数分の過去時系列データを計算された類似度が高い順に前記設定された過去時系列データから複数選定する過去時系列データ選定部と、選定された過去時系列データ毎に前記計算された類似度を前記選定された過去時系列データの類似度の和で除して重み係数を算出する重み係数算出部を有し、
前記選定された過去時系列データ毎に過去時系列データにおける前記所定時刻の実測値と前記予測時刻の実測値との差分に算出された重み係数を乗じた値を求め、求めた値の合計を前記予測当日の前記所定時刻の実測値に加算して前記予測値とし、
前記予測値に基づいて前記エネルギー設備の運転を支援する運転支援システム。
【手続補正６】
【補正対象書類名】明細書
【補正対象項目名】０００１
【補正方法】変更
【補正の内容】
【０００１】
本発明は、エネルギー予測システム、エネルギー予測システムの動作方法、これを実行させるためのコンピュータプログラム及びこのプログラムを記録したコンピュータ読み取り可能な記録媒体並びに運転支援システムに関する。さらに詳しくは、電力、冷房、暖房、蒸気、給湯等のエネルギーを使用又は製造するエネルギー設備における現時点以降のエネルギー負荷を予測するエネルギー予測システム、エネルギー予測システムの動作方法、これを実行させるためのコンピュータプログラム及びこのプログラムを記録したコンピュータ読み取り可能な記録媒体並びに運転支援システムに関する。
【手続補正７】
【補正対象書類名】明細書
【補正対象項目名】０００６
【補正方法】変更
【補正の内容】
【０００６】
かかる従来の実情に鑑みて、本発明は、当日の実測値に即した精度の高い予測値を算出することの可能なエネルギー予測システム、エネルギー予測システムの動作方法、これを実行させるためのコンピュータプログラム及びこのプログラムを記録したコンピュータ読み取り可能な記録媒体並びに運転支援システムを提供することを目的とする。
【手続補正８】
【補正対象書類名】明細書
【補正対象項目名】００１５
【補正方法】変更
【補正の内容】
【００１５】
前記エネルギー設備は、複数の発電機器及び／又は熱電機器を有する施設を複数備えた複合施設又は地域であり、前記予測値算出部は、前記施設単位で前記予測値を算出すると共にその予測値を合算して前記複合施設又は地域全体の前記エネルギー負荷の予測値を算出するようにしてもよい。これにより、複数の発電機器及び／又は熱電機器を有する単一の施設におけるエネルギー負荷の予測だけではなく、そのような施設が複数集合した複合施設、集合住宅、地域の全体のエネルギー負荷の予測も可能となり、省エネにも寄与する。
【手続補正９】
【補正対象書類名】明細書
【補正対象項目名】００１７
【補正方法】変更
【補正の内容】
【００１７】
上記目的を達成するため、本発明に係るエネルギー予測システムの動作方法の特徴は、電力、冷房、暖房、蒸気、給湯等のエネルギーを使用又は製造するエネルギー設備における現時点以降のエネルギー負荷を予測するエネルギー予測システムの動作方法において、前記現時点までの前記エネルギー負荷の実測値を計測時間毎に記憶し、前記実測値を日毎に前記エネルギー負荷の特性に基づく負荷パターンに分類し、クラスター分析を行う比較時間及び比較日数を設定すると共に前記クラスター分析を行う比較対象を分類された負荷パターンから選択し、予測当日の所定時刻から設定された比較時間前までの当日時系列データと、前記当日時系列データと同一時間帯における設定された比較日数の日毎の過去時系列データとを選択された負荷パターンに分類された実測値により設定し、前記クラスター分析による類似度が高い過去時系列データを設定された過去時系列データから選定する日数を設定し、前記設定された過去時系列データ毎に前記クラスター分析により前記当日時系列データに対する類似度を計算し、設定された日数分の過去時系列データを計算された類似度が高い順に前記設定された過去時系列データから過去時系列データを複数選定し、選定された過去時系列データ毎に前記計算された類似度を前記選定された過去時系列データの類似度の和で除して重み係数を算出し、前記選定された過去時系列データ毎に過去時系列データにおける前記所定時刻の実測値と前記予測時刻の実測値との差分に算出された重み係数を乗じた値を求め、求めた値の合計を前記予測当日の前記所定時刻の実測値に加算して前記予測当日の前記所定時刻から前記予測時間先の予測時刻における前記エネルギー負荷の予測値を算出することにある。
【手続補正１０】
【補正対象書類名】明細書
【補正対象項目名】００１８
【補正方法】変更
【補正の内容】
【００１８】
上記のいずれかに記載のエネルギー予測システムは、それを実行させるためのコンピュータプログラムにより実現され、このコンピュータプログラムはコンピュータ読み取り可能な記録媒体に記録される。
【手続補正１１】
【補正対象書類名】明細書
【補正対象項目名】００１９
【補正方法】変更
【補正の内容】
【００１９】
上記目的を達成するため、本発明に係る運転支援システムの特徴は、電力、冷房、暖房、蒸気、給湯等のエネルギーを使用又は製造するエネルギー設備の運転を支援する構成において、前記エネルギー設備における現時点までのエネルギー負荷の実測値を計測時間毎に記憶する実測値記憶部と、前記実測値を日毎に前記エネルギー負荷の特性に基づく負荷パターンに分類する負荷パターン分類部と、クラスター分析を行う比較時間及び比較日数を設定すると共に前記クラスター分析を行う比較対象を分類された負荷パターンから選択する分析条件設定部と、予測当日の所定時刻から設定された比較時間前までの当日時系列データと、前記当日時系列データと同一時間帯における設定された比較日数の日毎の過去時系列データとを選択された負荷パターンに分類された実測値により設定する時系列データ設定部と、前記予測当日の前記所定時刻から所定の予測時間先の予測時刻における前記エネルギー負荷の予測値を算出する予測値算出部とを備え、前記分析条件設定部は、前記クラスター分析による類似度が高い過去時系列データを前記時系列データ設定部で設定された過去時系列データから選定する日数を設定する上位選定日数設定部を有し、前記予測値算出部は、設定された過去時系列データ毎に前記クラスター分析により前記当日時系列データに対する類似度を計算する類似度計算部と、設定された日数分の過去時系列データを計算された類似度が高い順に前記設定された過去時系列データから複数選定する過去時系列データ選定部と、選定された過去時系列データ毎に前記計算された類似度を前記選定された過去時系列データの類似度の和で除して重み係数を算出する重み係数算出部を有し、前記選定された過去時系列データ毎に過去時系列データにおける前記所定時刻の実測値と前記予測時刻の実測値との差分に算出された重み係数を乗じた値を求め、求めた値の合計を前記予測当日の前記所定時刻の実測値に加算して前記予測値とし、前記予測値に基づいて前記エネルギー設備の運転を支援することにある。
【手続補正１２】
【補正対象書類名】明細書
【補正対象項目名】００２０
【補正方法】変更
【補正の内容】
【００２０】
上記本発明に係るエネルギー予測システム、エネルギー予測システムの動作方法、これを実行させるためのコンピュータプログラム及びこのプログラムを記録したコンピュータ読み取り可能な記録媒体並びに運転支援システムの特徴によれば、当日の実測値に即した精度の高い予測値を算出することが可能となった。
【国際調査報告】
2016136323.tif 000023
2016136323.tif 000024
2016136323.tif 000025
2016136323.tif 000026